(57)【要約】【課題】外枠に近い位置に部品を設置しても、作業性が良く作業スペースを自由に確保することができ、構成部品数が少なく、内部の開放と閉鎖が容易にでき、かつ屋外へ設置してもパッキン類なしで雨水の浸入を防止できるキャビネット蓋体を提供する。【解決手段】鉛直な壁面に固定可能であり前面が開口した矩形の端子箱１０と、端子箱の開口部を閉鎖する蓋部材２０とからなる。端子箱１０は、底板１２と上下左右の４枚の箱枠１４ａ〜１４ｄと、上箱枠１４ａとこれに連続する左箱枠１４ｃと右箱枠１４ｄの開口縁に沿って連続的に外側に折り返えされた折り返し部１６とを有する。蓋部材２０は、蓋板２２と上下左右の４枚の蓋枠２４ａ〜２４ｄと、上蓋枠２４ａの内面に固定され、端子箱の折り返し部１６の前後を挟持する挟持部材２６とを有する。【選択図】図２
0003144053.tif 000002
【実用新案登録請求の範囲】
【請求項１】
鉛直な壁面に固定可能であり前面が開口した矩形の端子箱と、該端子箱の開口部を閉鎖する蓋部材とからなり、
前記端子箱は、鉛直な壁面に固定される矩形の底板と、該底板の４辺から垂直前方に延び前記開口を連続して囲む上下左右の４枚の箱枠と、上箱枠とこれに連続する左箱枠と右箱枠の開口縁に沿って連続的に外側に折り返えされた折り返し部とを有し、
前記蓋部材は、端子箱を閉鎖した状態において端子箱の底板に対向して鉛直に位置する矩形の蓋板と、該蓋板の４辺から垂直後方に延び前記４枚の箱枠を連続して囲む上下左右の４枚の蓋枠と、上蓋枠の内面に固定され、端子箱の折り返し部の前後を挟持する挟持部材とを有する、ことを特徴とするキャビネット筐体。
【請求項２】
前記端子箱の下箱枠は、１又は２以上のノックアウト式の開口を有し、該開口を通して光ファイバ又は電線を通線させるために十分な高さを有し、
前記端子箱の上箱枠とこれに連続する左箱枠と右箱枠は、箱枠に近接して設置した部品に箱枠の外側から容易にアクセスできる十分低い高さを有する、ことを特徴とする請求項１に記載のキャビネット筐体。
【請求項３】
前記端子箱の左箱枠と右箱枠は、上側が上箱枠と同一の高さを有し、この部分に前記折り返し部が設けられ、下側が下箱枠と同一の高さを有し、この部分にノックアウト式の開口を有する、ことを特徴とする請求項２に記載のキャビネット筐体。
【考案の詳細な説明】
【技術分野】
【０００１】
本考案は、光ファイバや電線を内部で接続するためのキャビネット筐体に関する。
【背景技術】
【０００２】
局側の光ファイバと宅内側の光ファイバとを相互接続するために、光ファイバ用のキャビネットが従来から用いられている。このキャビネットの内部には、光ファイバ同士を互いに接続する光ファイバコネクタや、光ファイバを分岐させるスプリッタ等が取り付けられる。
【０００３】
かかる光ファイバ用のキャビネットとして、従来は、正面に開閉扉を有するボックスタイプ（箱型）が主に用いられている。しかし、ボックスタイプのキャビネットは、開口部が前面のみであるため、内部の部品（コネクタやスプリッタ）に手が届かない（アクセスしにくい）欠点があった。
そこで、例えば、特許文献１，２のキャビネットが既に提案されている。
【０００４】
図４Ａは、特許文献１の「光ケーブル接続部収納用キャビネット」を、蓋を開いて内部を露呈した状態で示す斜視図である。また図４Ｂは、キャビネット蓋体５２を閉鎖した状態を示している。
このキャビネットは前面と上面が開放可能のキャビネット本体５１と、このキャビネット本体５１の開放部を閉鎖可能に設けられたキャビネット蓋体５２を有しており、キャビネット蓋体５２はキャビネット本体５１の後部上端にヒンジ結合され、閉鎖位置と、図示の開放位置との間で揺動運動するものである。
【０００５】
図５は、特許文献２の「光キャビネット」の分解斜視図である。キャビネット筐体６０は、金属板のプレス成形品であり、矩形の略平板状のベース板６１ａとこのベース板６１ａの４隅に立設された連結用支柱６１ｂとを具備して周囲の４側面とベース板６１ａに対向する面の周囲５面が開放した箱型のベース枠体６１と、このベース枠体６１の第１の側面６１ｃを覆う第１側壁板６３と、第１の側面６１ｃに対向するベース枠体６１の第２の側面６１ｄを覆う第２側壁板６５と、ベース枠体６１のベース板６１ａに対向する開放面とその両側を覆う蓋枠体６７とから構成されている。
【０００６】
蓋枠体６７は、ベース枠体６１のベース板６１ａに対向する開放面を覆う蓋板６７ａの両側に、ベース枠体６１の第３の側面６１ｅを覆う第３側壁板６７ｂと第４の側面６１ｆを覆う第４側壁板６７ｃとを一体形成したもので、横断面形状が略コ字状をなしている。
【０００７】
キャビネット筐体６０は、これらのベース枠体６１、第１側壁板６３、第２側壁板６５、蓋枠体６７をねじ等で連結することで、光ケーブル相互の接続部を内部に収容する函体になる。
【０００８】
【特許文献１】特開２００６−１２６４０４号公報、「光ケーブル接続部収納用キャビネット」
【特許文献２】特開２００８−９６６６８号公報、「光キャビネット」
【考案の開示】
【考案が解決しようとする課題】
【０００９】
しかし、上述した従来のキャビネット筐体には、以下の問題点があった。
【００１０】
特許文献１のキャビネット筐体は、蓋５２を開いて内部を露呈した状態（図４Ａ）において、上方を除く３方がキャビネット本体５１の外枠で囲まれているため、外枠に近い位置にコネクタ類を設置すると作業スペースがなく、作業性が悪い問題点があった。
また、このキャビネット筐体は、キャビネット蓋体５２とキャビネット本体５１の間に隙間があるため、この隙間から雨水が浸入するおそれが高く、パッキン等でシールしないかぎり屋外への設置が困難であった。
【００１１】
一方、特許文献２のキャビネット筐体は、ベース枠体６１の周囲５面が開放するので、作業性は良いが、ベース枠体６１の他に２枚の側壁板６３，６５と蓋枠体６７を必要とするため、部品数が多い問題点があった。
また、このキャビネット筐体も、各部品（ベース枠体６１、２枚の側壁板６３，６５及び蓋枠体６７）の間に隙間があるため、この隙間から雨水が浸入するおそれが高く、パッキン等でシールしないかぎり屋外への設置が困難であった。
【００１２】
本考案はかかる問題点を解決するために創案されたものである。すなわち、本考案の目的は、外枠に近い位置に部品（コネクタやスプリッタ）を設置しても、作業性が良く作業スペースを自由に確保することができ、構成部品数が少なく、内部の開放と閉鎖が容易にでき、かつ屋外へ設置してもパッキン類なしで雨水の浸入を防止できるキャビネット筐体を提供することにある。
【課題を解決するための手段】
【００１３】
本考案によれば、鉛直な壁面に固定可能であり前面が開口した矩形の端子箱と、該端子箱の開口部を閉鎖する蓋部材とからなり、
前記端子箱は、鉛直な壁面に固定される矩形の底板と、該底板の４辺から垂直前方に延び前記開口を連続して囲む上下左右の４枚の箱枠と、上箱枠とこれに連続する左箱枠と右箱枠の開口縁に沿って連続的に外側に折り返えされた折り返し部とを有し、
前記蓋部材は、端子箱を閉鎖した状態において端子箱の底板に対向して鉛直に位置する矩形の蓋板と、該蓋板の４辺から垂直後方に延び前記４枚の箱枠を連続して囲む上下左右の４枚の蓋枠と、上蓋枠の内面に固定され、端子箱の折り返し部の前後を挟持する挟持部材とを有する、ことを特徴とするキャビネット筐体が提供される。
【００１４】
本考案の好ましい実施形態によれば、前記端子箱の下箱枠は、１又は２以上のノックアウト式の開口を有し、該開口を通して光ファイバ又は電線を通線させるために十分な高さを有し、
前記端子箱の上箱枠とこれに連続する左箱枠と右箱枠は、箱枠に近接して設置した部品に箱枠の外側から容易にアクセスできる十分低い高さを有する。
【００１５】
また、前記端子箱の左箱枠と右箱枠は、上側が上箱枠と同一の高さを有し、この部分に前記折り返し部が設けられ、下側が下箱枠と同一の高さを有し、この部分にノックアウト式の開口を有する、ことが好ましい。
【考案の効果】
【００１６】
上記本考案の構成によれば、端子箱は上箱枠の開口縁に沿って外側に折り返えされた折り返し部を有し、蓋部材は上蓋枠の内面に端子箱の折り返し部の前後を挟持する挟持部材を有するので、挟持部材で端子箱の折り返し部を挟持するように蓋部材を端子箱の上に被せるだけで、端子箱の開口を閉鎖できる。また逆に蓋部材の下方を手前に引き、端子箱の折り返し部から蓋部材の挟持部材を上に動かして外すだけで端子箱の内部を開放できる。従って、内部の開放と閉鎖が容易にできる。
【００１７】
また、蓋部材を端子箱の上に被せた閉鎖状態において、端子箱の上箱枠とこれに連続する左箱枠と右箱枠の開口縁に沿って連続的に外側に折り返えされた折り返し部を有するので、蓋部材と端子箱の隙間から雨水が浸入しても、この折り返し部で端子箱の内部への侵入を防止できる。従って、屋外へ設置してもパッキン類なしで雨水の浸入を防止できる。
【００１８】
また、端子箱の下箱枠が、１又は２以上のノックアウト式の開口を有し、該開口を通して光ファイバ又は電線を通線させるために十分な高さを有する構成により、光ファイバや電線の通線に必要なコネクタ類を端子箱の下箱枠に固定することができ、蓋部材を単独に着脱できる。
【００１９】
さらに、構成部品が端子箱と蓋部材のみであるので、構成部品数が少ない。
また、端子箱の上箱枠とこれに連続する左箱枠と右箱枠が、箱枠に近接して設置した部品に箱枠の外側から容易にアクセスできる十分低い高さを有することにより、外枠に近い位置に部品を設置しても、作業性が良く作業スペースを自由に確保することができる。
【考案を実施するための最良の形態】
【００２０】
以下、本考案の好ましい実施形態を図面を参照して説明する。なお各図において、共通する部分には同一の符号を付し、重複した説明は省略する。
【００２１】
図１は、本考案のキャビネット筐体の斜視図（Ａ）と分解図（Ｂ）である。また、図２は、本考案のキャビネット筐体の端子箱（Ａ）と蓋部材（Ｂ）の斜視図である。なお、図２Ａと図２Ｂはそれぞれ内側を上にして示している。
【００２２】
図１、図２において、本考案のキャビネット筐体は、矩形の端子箱１０と矩形の蓋部材２０からなる。キャビネット筐体は、鉄、アルミニウム、またはプラスチックからなるのがよい。
【００２３】
端子箱１０は、図示しない鉛直な壁面にネジ等で固定可能であり、前面全体（図１Ｂの左側）が開口している。この例において、端子箱１０は幅２１０ｍｍ、高さ３２０ｍｍ、厚さ７０ｍｍである。
また、蓋部材２０は、端子箱１０の開口部全体を覆うようになっている。この例において、蓋部材２０は、幅２３３ｍｍ、高さ３３６ｍｍ、厚さ７０ｍｍである。
【００２４】
図２Ａに示すように、端子箱１０は、矩形の底板１２と上下左右の４枚の箱枠（上箱枠１４ａ，下箱枠１４ｂ，左箱枠１４ｃ，右箱枠１４ｄ）を有する。
矩形の底板１２は、鉛直な壁面にネジ等で直接固定される。４枚の箱枠１４ａ，１４ｂ，１４ｃ，１４ｄは、底板１２の４辺から垂直前方（図２Ａで上向き）に延び、開口１１を連続して囲んでいる。
【００２５】
端子箱１０は、さらに上箱枠１４ａの開口縁とこれに連続する左箱枠１４ｃと右箱枠１４ｄの開口縁に沿って連続的に折り返し部１６を有する。この折り返し部１６は、開口縁から外側に折り、さらに箱枠外面に沿って折り返えされ、全体としてコの字状の断面に形成されている。折り返し部１６の断面寸法は、この例で幅１０ｍｍ×高さ８ｍｍである。従って、折り返し部１６を含む端子箱１０の幅は幅２３０ｍｍである。
【００２６】
また、図２Ｂに示すように、蓋部材２０は、矩形の蓋板２２と上下左右の４枚の蓋枠（上蓋枠２４ａ，下蓋枠２４ｂ，左蓋枠２４ｃ，右蓋枠２４ｄ）を有する。
矩形の蓋板２２は、端子箱１０を閉鎖した状態において端子箱１０の底板１２に対向して鉛直に位置する。４枚の蓋枠２４ａ，２４ｂ，２４ｃ，２４ｄは、蓋板２２の４辺から垂直後方（図２Ｂで上向き）に延び、４枚の箱枠１４ａ，１４ｂ，１４ｃ，１４ｄを隙間を隔てて連続して囲む。この例において、この隙間は、折り返し部１６の外側より約０．５ｍｍに設定されている。
【００２７】
蓋部材２０は、さらに上蓋枠２４ａの内面に固定され、端子箱１０の折り返し部１６の前後を隙間を隔てて挟持する挟持部材２６を有する。挟持部材２６は、この例では、コの字状に折り曲げられた板材である。この例において、挟持部材２６の２枚に板の間隔は、折り返し部１６の断面寸法よりわずかに大きい１０ｍｍに設定されている。
【００２８】
図２Ａにおいて、端子箱の下箱枠１４ｂは、２つのノックアウト式の開口１５を有する。「ノックアウト式の開口」とは、実際には開口していないが、容易に開口するように、打ち抜き直前まで予めプレス等で加工した開口可能部をいう。この例で、ノックアウト式の開口１５は、直径２７ｍｍの円形であり、光ファイバや電線用の多芯コネクタを取り付けられるようになっている。
下箱枠１４ｂは、この開口およびコネクタを通して光ファイバ又は電線を通線させるために十分な高さを有する。下箱枠１４ｂの高さはこの例では７０ｍｍである。
この例において、下箱枠１４ｂの中央部１４ｅが、内側に折り曲げられ、その中央部に底板に平行なスリット穴１４ｆが設けられている。
【００２９】
端子箱１０の上箱枠１４ａとこれに連続する左箱枠１４ｃと右箱枠１４ｄは、下箱枠１４ｂより低く、箱枠に近接して設置した部品（コネクタやスプリッタ）に箱枠の外側から容易にアクセスできる十分低い高さを有する。この高さはこの例では下箱枠１４ｂの半分の３５ｍｍである。
【００３０】
さらに、端子箱１０の左箱枠１４ｃと右箱枠１４ｄは、上側が上箱枠１４ａと同一の高さを有し、この部分に折り返し部１６が設けられている。この部分の高さは、上箱枠１４ａと同一（この例では３５ｍｍ）である。
また、左箱枠１４ｃと右箱枠１４ｄの下側は、下箱枠１４ｂと同一の高さ（この例では７０ｍｍ）を有し、この部分にノックアウト式の開口１５を有する。
なお、図２Ａにおいて、１８は蝶番により開閉可能な取付け板であり、コネクタやスプリッタ、或いはボード板を２段重ねに取り付けられるようになっている。
【００３１】
さらに、図２Ｂにおいて、蓋部材２０の左蓋枠２４ｃと右蓋枠２４ｄの高さは、上側が上蓋枠２４ａと同一（この例では７０ｍｍ）、下側が左箱枠１４ｃと右箱枠１４ｄのノックアウト式の開口１５と干渉しない高さ（この例では１０ｍｍ）に設定されている。
また、蓋部材２０の下蓋枠２４ｂは、中央部の高さが下箱枠１４ｂの中央部１４ｅを覆う高さ（この例で３５ｍｍ）であり、その両側は左蓋枠２４ｃと右蓋枠２４ｄの下側と同じ高さ（この例では１０ｍｍ）に設定されている。
さらに、蓋部材２０の蓋板２２には、鍵付きの開閉金具２７が取り付けられており、その一部がスリット穴１４ｆに嵌ることで、扉をロックできるようになっている。
また、図２Ｂにおける２８は、パッキンであり、端子箱１０の左箱枠１４ｃと右箱枠１４ｄの下側に密着し、その間をシールするようになっている。
【００３２】
図３は、本考案のキャビネット筐体の作動説明図である。この図において、（Ａ）は蓋部材２０の着脱時、（Ｂ）は閉鎖状態を示している。
図３Ａに示すように、蓋部材２０の挟持部材２６で端子箱１０の折り返し部１６を挟持するように蓋部材２０を端子箱１０の上に被せるだけで、端子箱１０の開口１１を閉鎖できる。また逆に蓋部材２０の下方を手前（図３Ａで左側）に引き、端子箱１０の折り返し部１６から蓋部材２０の挟持部材２６を上に移動して外すだけで端子箱１０の内部を開放できる。従って、内部の開放と閉鎖が容易にできる。
【００３３】
また、図３Ｂに示すように、蓋部材２０を端子箱１０の上に被せた閉鎖状態において、端子箱１０の上箱枠１４ａとこれに連続する左箱枠１４ｃと右箱枠１４ｄの縁に沿って連続的に外側に折り返えされた折り返し部１６を有するので、蓋部材２０と端子箱１０の隙間から雨水が浸入しても、この折り返し部１６で端子箱１０の内部への侵入を防止できる。従って、屋外へ設置してもパッキン類なしで雨水の浸入を防止できる。
なお、左箱枠１４ｃと右箱枠１４ｄの下側は上述したパッキン２８でシールされている。
【００３４】
また、ノックアウト式の開口１５により、光ファイバや電線の通線に必要なコネクタ類を端子箱１０の下箱枠１４ｂ、左箱枠１４ｃおよび右箱枠１４ｄに固定することができ、蓋部材２０を単独に自由に着脱できる。
【００３５】
さらに、構成部品が端子箱１０と蓋部材２０のみであるので、構成部品数が少ない。
また、端子箱１０の上箱枠１４ａとこれに連続する左箱枠１４ｃと右箱枠１４ｄを、下箱枠１４ｂより低いので、箱枠に近接して部品を設置してもその外側から自由にアクセスでき、作業性が良く作業スペースを自由に確保することができる。
【００３６】
なお、本考案は、上述した実施形態に限定されず、本考案の要旨を逸脱しない範囲で種々に変更することができることは勿論である。
【図面の簡単な説明】
【００３７】
【図１】本考案のキャビネット筐体の斜視図と分解図である。
【図２】本考案のキャビネット筐体の端子箱と蓋部材の斜視図である。
【図３】本考案のキャビネット筐体の作動説明図である。
【図４】特許文献１のキャビネットの説明図である。
【図５】特許文献２のキャビネットの説明図である。
【符号の説明】
【００３８】
１０  端子箱、１１  開口、１２  底板、
１４ａ，１４ｂ，１４ｃ，１４ｄ  箱枠、
１４ｅ  中央部、１４ｆ  スリット穴、
１５  ノックアウト式開口、１６  折り返し部、
１８  取付け板、
２０  蓋部材、２２  蓋板、
２４ａ，２４ｂ，２４ｃ，２４ｄ  蓋枠、
２６  挟持部材、２７  開閉金具、２８パッキン
【図１】
0003144053.tif 000003
【図２】
0003144053.tif 000004
【図３】
0003144053.tif 000005
【図４】
0003144053.tif 000006
【図５】
0003144053.tif 000007